(57)【要約】【課題】少なくともメモリの空き容量、バッテリの残量、カセッテ内の温度を検知し、カセッテの使用可能／使用不可を判別して、カセッテの使用における信頼性を向上させる。【解決手段】放射線検出器４０、画像用メモリ１０２、カセッテ制御部４６、バッテリ４４及び温度センサ１００を有するカセッテ２４と、撮影装置２２と、ホストコンピュータ２８とを有する放射線画像撮影システム１０Ａにおいて、カセッテ制御部４６は、ホストコンピュータ２８からの撮影条件に関する情報を受け取る条件受取部１１０と、画像用メモリ１０２の空き容量を検出する空き容量検出部１１４と、バッテリ４４の残量を検知する残量検知部１１６と、空き容量検出部１１４、残量検知部１１６及び温度センサ１００の結果と受け取った撮影条件に関する情報とに基づいてカセッテ２４の使用許可／禁止を判別する判別部１２０とを有する。【選択図】図５
2009028373.tif 000002
【特許請求の範囲】
【請求項１】
被写体を透過した放射線を検出し、放射線画像情報に変換する放射線変換パネルと、前記放射線変換パネルによって検出された放射線画像情報を記憶するメモリと、少なくとも前記放射線変換パネルと前記メモリを制御する制御部と、これら放射線変換パネル、前記メモリ、前記制御部に電源を供給するバッテリと、少なくとも前記放射線変換パネルの温度を検出する温度センサとを有する放射線検出カセッテと、
前記被写体に向けて放射線を放射する撮影装置と、
前記放射線検出カセッテと情報のやり取りを行って前記撮影装置を制御するホストコンピュータとを有する放射線画像撮影システムにおいて、
前記放射線検出カセッテの前記制御部は、
前記ホストコンピュータからの撮影条件に関する情報を受け取る手段と、
前記メモリの空き容量を検出する容量検出手段と、
前記バッテリの残量を検知する残量検知手段と、
前記容量検出手段、前記残量検知手段及び前記温度センサの結果と、受け取った前記撮影条件に関する情報とに基づいて前記放射線検出カセッテの使用許可／禁止を判別する判別手段とを有することを特徴とする放射線画像撮影システム。
【請求項２】
請求項１記載の放射線画像撮影システムにおいて、
前記放射線検出カセッテは、
前記ホストコンピュータ又は前記撮影装置と通信を行う通信器を有し、
前記放射線検出カセッテの前記制御部は、
前記判別手段での判別結果が前記使用許可を示す場合に出力される撮影許可信号を前記通信器を介して前記ホストコンピュータ又は前記撮影装置に送信する送信手段を有することを特徴とする放射線画像撮影システム。
【請求項３】
請求項２記載の放射線画像撮影システムにおいて、
前記ホストコンピュータは、前記放射線検出カセッテからの前記撮影許可信号の入力に基づいて、前記撮影装置に撮影開始信号を出力し、
前記撮影装置は、前記ホストコンピュータからの前記撮影開始信号の入力に基づいて、撮影が可能であることを示す表示を行うことを特徴とする放射線画像撮影システム。
【請求項４】
請求項２記載の放射線画像撮影システムにおいて、
前記ホストコンピュータは、前記撮影装置に対してスタンバイ信号を出力し、
前記撮影装置は、前記ホストコンピュータからの前記スタンバイ信号の入力と、前記放射線検出カセッテからの前記使用許可を示す情報の入力とに基づいて、撮影が可能であることを示す表示を行うことを特徴とする放射線画像撮影システム。
【請求項５】
請求項１記載の放射線画像撮影システムにおいて、
前記判別手段は、
前記撮影条件に関する情報に基づいて、前記メモリの使用容量を予測して予測使用容量を得る使用容量予測手段と、
前記撮影条件に関する情報に基づいて、前記バッテリの消費容量を予測して予測消費容量を得る消費容量予測手段と、
前記撮影条件に関する情報に基づいて、前記放射線検出カセッテの温度上昇を予測して予測温度上昇を得る温度予測手段とを有し、
前記容量検出手段の結果が前記予測使用容量以上であって、且つ、前記残量検知手段の結果が前記予測消費容量以上であって、且つ、前記温度センサの結果に前記予測温度上昇を付加した温度が許容範囲にある場合に、前記使用許可を示す情報を出力し、それ以外の場合に前記使用禁止を示す情報を出力することを特徴とする放射線画像撮影システム。
【請求項６】
請求項５記載の放射線画像撮影システムにおいて、
前記消費容量予測手段及び前記温度予測手段は、省エネルギーモードによる低減率を考慮して前記予測消費容量と前記予測温度上昇を得、
前記判別手段は、
前記容量検出手段の結果が前記予測使用容量以上であって、且つ、前記残量検知手段の結果が前記予測消費容量以上であって、且つ、前記温度センサの結果に前記予測温度上昇を付加した温度が許容範囲にある場合に、前記使用許可に代えて、省エネルギーモードへの移行可能を示す情報を出力することを特徴とする放射線画像撮影システム。
【請求項７】
請求項６記載の放射線画像撮影システムにおいて、
前記省エネルギーモードによる低減率を考慮しないで得た前記予測消費容量又は前記予測温度上昇が、前記使用禁止を導く場合に初めて、前記消費容量予測手段及び前記温度予測手段は、前記省エネルギーモードによる低減率を考慮して前記予測消費容量と前記予測温度上昇を得ることを特徴とする放射線画像撮影システム。
【請求項８】
請求項１記載の放射線画像撮影システムにおいて、
前記放射線検出カセッテの制御部は、さらに、
前記放射線変換パネルの累積被曝線量を算出する累積被曝線量算出手段を有し、
前記判別手段は、前記累積被曝線量をも考慮して前記放射線検出カセッテの使用許可／禁止を判別することを特徴とする放射線画像撮影システム。
【請求項９】
請求項２記載の放射線画像撮影システムにおいて、
前記放射線検出カセッテの前記制御部は、前記放射線変換パネルのキャリブレーション処理を行う手段を有し、
前記送信手段は、前記キャリブレーション処理が終了した時点で、少なくとも前記撮影許可信号を前記通信器を介して前記ホストコンピュータ又は前記撮影装置に送信することを特徴とする放射線画像撮影システム。
【請求項１０】
請求項９記載の放射線画像撮影システムにおいて、
前記キャリブレーション処理は、
前記放射線変換パネルによって検出されたテスト用放射線画像情報に対する明補正、暗補正及び欠陥補正の少なくとも１つの補正を含むことを特徴とする放射線画像撮影システム。
【請求項１１】
請求項１記載の放射線画像撮影システムにおいて、
前記放射線検出カセッテは、
１以上の発光素子を有し、
前記制御部は、
前記判別手段からの前記使用許可を示す情報の発生に基づいて前記発光素子を発光又は消光させる手段を有することを特徴とする放射線画像撮影システム。
【請求項１２】
請求項１記載の放射線画像撮影システムにおいて、
前記放射線検出カセッテは、発光色の異なる２以上の発光素子を有し、
前記制御部は、前記発光素子のうち、前記判別手段からの前記使用許可を示す情報の発生に基づいて、ある発光色の発光素子を発光させ、前記判別手段からの前記使用禁止を示す情報の発生に基づいて、別の発光色の発光素子を発光させる手段を有することを特徴とする放射線画像撮影システム。
【請求項１３】
請求項１記載の放射線画像撮影システムにおいて、
さらに、前記放射線検出カセッテを収納する棚を有し、
前記棚は、１以上の発光素子を有し、
前記放射線検出カセッテは、前記ホストコンピュータと通信を行う通信器を有し、
前記放射線検出カセッテの前記制御部は、前記判別手段からの少なくとも使用許可を示す情報を前記通信器を介して前記ホストコンピュータに送信する送信手段を有し、
前記ホストコンピュータは、前記放射線検出カセッテからの前記使用許可を示す情報の入力に基づいて前記発光素子を発光又は消光させる手段を有することを特徴とする放射線画像撮影システム。
【請求項１４】
請求項１記載の放射線画像撮影システムにおいて、
さらに、前記放射線検出カセッテを収納する棚を有し、
前記棚は、発光色の異なる２以上の発光素子を有し、
前記放射線検出カセッテは、前記ホストコンピュータと通信を行う通信器を有し、
前記放射線検出カセッテの前記制御部は、前記判別手段からの少なくとも使用許可を示す情報を前記通信器を介して前記ホストコンピュータに送信する送信手段を有し、
前記ホストコンピュータは、前記判別手段からの前記使用許可を示す情報の入力に基づいて、前記発光素子のうち、ある発光色の発光素子を発光させ、前記判別手段からの前記使用禁止を示す情報の入力に基づいて、別の発光色の発光素子を発光させる手段を有することを特徴とする放射線画像撮影システム。
【請求項１５】
請求項１記載の放射線画像撮影システムにおいて、
さらに、前記放射線検出カセッテを収納する棚を有し、
前記棚は、前記放射線検出カセッテの取出しを可／不可とするシャッタを有し、
前記放射線検出カセッテは、前記ホストコンピュータと通信を行う通信器を有し、
前記放射線検出カセッテの前記制御部は、前記判別手段からの少なくとも使用許可を示す情報を前記通信器を介して前記ホストコンピュータに送信する送信手段を有し、
前記ホストコンピュータは、前記放射線検出カセッテからの前記使用許可を示す情報の入力に基づいて前記棚のシャッタを開放して、前記放射線検出カセッテの取出しを可とする手段を有することを特徴とする放射線画像撮影システム。
【請求項１６】
請求項１記載の放射線画像撮影システムにおいて、
さらに、前記放射線検出カセッテを収納する棚を有し、
前記棚は、前記放射線検出カセッテの取出しを可／不可とするシャッタを有し、
前記放射線検出カセッテは、前記ホストコンピュータと通信を行う通信器を有し、
前記放射線検出カセッテの前記制御部は、前記判別手段からの少なくとも使用禁止を示す情報を前記通信器を介して前記ホストコンピュータに送信する送信手段を有し、
前記ホストコンピュータは、前記放射線検出カセッテからの前記使用禁止を示す情報の入力に基づいて前記棚のシャッタを遮蔽して、前記放射線検出カセッテの取出しを不可とする手段を有することを特徴とする放射線画像撮影システム。
【請求項１７】
請求項１記載の放射線画像撮影システムにおいて、
前記放射線検出カセッテは、
前記ホストコンピュータと通信を行う通信器を有し、
前記放射線検出カセッテの前記制御部は、少なくとも前記容量検出手段、前記残量検知手段及び前記温度センサの結果並びに前記判別手段からの少なくとも使用許可を示す情報を前記通信器を介して前記ホストコンピュータに送信する送信手段を有し、
前記ホストコンピュータは、前記放射線検出カセッテから送信された少なくとも前記容量検出手段、前記残量検知手段及び前記温度センサの結果並びに前記判別手段での判別結果を、該ホストコンピュータに接続されたモニタに表示する手段を有することを特徴とする放射線画像撮影システム。
【請求項１８】
請求項１記載の放射線画像撮影システムにおいて、
前記放射線検出カセッテは、その筐体表面に設置された表示部を有し、
前記放射線検出カセッテの前記制御部は、
少なくとも前記容量検出手段、前記残量検知手段及び前記温度センサの結果並びに前記判別手段での判別結果を前記表示部に表示する手段を有することを特徴とする放射線画像撮影システム。
【請求項１９】
請求項１記載の放射線画像撮影システムにおいて、
さらに、前記放射線検出カセッテを収納する棚を有し、
前記棚は、表示部を有し、
前記放射線検出カセッテは、前記ホストコンピュータと通信を行う通信器を有し、
前記放射線検出カセッテの前記制御部は、少なくとも前記容量検出手段、前記残量検知手段及び前記温度センサの結果並びに前記判別手段での判別結果を前記通信器を介して前記ホストコンピュータに送信する送信手段を有し、
前記ホストコンピュータは、前記放射線検出カセッテから送信された少なくとも前記容量検出手段、前記残量検知手段及び前記温度センサの結果並びに前記判別手段での判別結果を、前記棚の前記表示部に表示する手段を有することを特徴とする放射線画像撮影システム。
【請求項２０】
被写体を透過した放射線を検出し、放射線画像情報に変換する放射線変換パネルと、前記放射線変換パネルによって検出された放射線画像情報を記憶するメモリと、少なくとも前記放射線変換パネルと前記メモリを制御する制御部と、これら放射線変換パネル、前記メモリ、前記制御部に電源を供給するバッテリと、少なくとも前記放射線変換パネルの温度を検出する温度センサとを有する放射線検出カセッテと、
前記被写体に向けて放射線を放射する撮影装置と、
前記放射線検出カセッテと情報のやり取りを行って前記撮影装置を制御するホストコンピュータとを有する放射線画像撮影システムにおいて、
前記放射線検出カセッテは、前記ホストコンピュータと通信を行う通信器を有し、
前記放射線検出カセッテの前記制御部は、
前記メモリの空き容量を検出する容量検出手段と、
前記バッテリの残量を検知する残量検知手段と、
少なくとも前記容量検出手段、前記残量検知手段及び前記温度センサの結果を前記通信器を介して前記ホストコンピュータに送信する送信手段とを有し、
前記ホストコンピュータは、入力された前記結果と撮影条件に関する情報とに基づいて前記放射線検出カセッテの使用許可／禁止を判別する判別手段を有することを特徴とする放射線画像撮影システム。
【請求項２１】
請求項２０記載の放射線画像撮影システムにおいて、
前記ホストコンピュータは、前記判別手段での判別結果が使用許可を示す場合に、前記撮影装置に撮影開始信号を出力し、
前記撮影装置は、前記ホストコンピュータからの前記撮影開始信号の入力に基づいて撮影を開始することを特徴とする放射線画像撮影システム。
【請求項２２】
請求項２０記載の放射線画像撮影システムにおいて、
前記判別手段は、
前記撮影条件に関する情報に基づいて、前記メモリの使用容量を予測して予測使用容量を得る使用容量予測手段と、
前記撮影条件に関する情報に基づいて、前記バッテリの消費容量を予測して予測消費容量を得る消費容量予測手段と、
前記撮影条件に関する情報に基づいて、前記放射線検出カセッテの温度上昇を予測して予測温度上昇を得る温度予測手段とを有し、
前記容量検出手段の結果が前記予測使用容量以上であって、且つ、前記残量検知手段の結果が前記予測消費容量以上であって、且つ、前記温度センサの結果に前記予測温度上昇を付加した温度が許容範囲にある場合に、前記使用許可を示す情報を出力し、それ以外の場合に前記使用禁止を示す情報を出力することを特徴とする放射線画像撮影システム。
【請求項２３】
請求項２２記載の放射線画像撮影システムにおいて、
前記消費容量予測手段及び前記温度予測手段は、省エネルギーモードによる低減率を考慮して前記予測消費容量と前記予測温度上昇を得、
前記判別手段は、
前記容量検出手段の結果が前記予測使用容量以上であって、且つ、前記残量検知手段の結果が前記予測消費容量以上であって、且つ、前記温度センサの結果に前記予測温度上昇を付加した温度が許容範囲にある場合に、前記使用許可に代えて、省エネルギーモードへの移行可能を示す情報を出力することを特徴とする放射線画像撮影システム。
【請求項２４】
請求項２３記載の放射線画像撮影システムにおいて、
前記省エネルギーモードによる低減率を考慮しないで得た前記予測消費容量又は前記予測温度上昇が、前記使用禁止を導く場合に初めて、前記消費容量予測手段及び前記温度予測手段は、前記省エネルギーモードによる低減率を考慮して前記予測消費容量と前記予測温度上昇を得ることを特徴とする放射線画像撮影システム。
【請求項２５】
請求項２０記載の放射線画像撮影システムにおいて、
前記放射線検出カセッテの制御部は、さらに、
前記放射線変換パネルの累積被曝線量を算出する累積被曝線量算出手段を有し、
前記制御部の前記送信手段は、さらに、前記累積被曝線量を前記通信器を介して前記ホストコンピュータに送信し、
前記ホストコンピュータの前記判別手段は、入力された前記累積被曝線量をも考慮して前記放射線検出カセッテの使用許可／禁止を判別することを特徴とする放射線画像撮影システム。
【請求項２６】
請求項２０記載の放射線画像撮影システムにおいて、
前記放射線検出カセッテの前記制御部は、前記放射線変換パネルのキャリブレーション処理を行う手段を有し、
前記送信手段は、前記キャリブレーション処理が終了した時点で、少なくとも前記容量検出手段、前記残量検知手段及び前記温度センサの結果を前記通信器を介して前記ホストコンピュータに送信することを特徴とする放射線画像撮影システム。
【請求項２７】
請求項２６記載の放射線画像撮影システムにおいて、
前記キャリブレーション処理は、
前記放射線変換パネルによって検出されたテスト用放射線画像情報に対する明補正、暗補正及び欠陥補正の少なくとも１つの補正を含むことを特徴とする放射線画像撮影システム。
【請求項２８】
請求項２０記載の放射線画像撮影システムにおいて、
前記放射線検出カセッテは、１以上の発光素子を有し、
前記放射線検出カセッテの前記制御部は、
前記ホストコンピュータから送信される前記判別手段での判別結果を受信する受信手段と、
前記受信手段にて受信した前記判別結果が使用許可を示す場合に、前記発光素子を発光又は消光させる手段とを有することを特徴とする放射線画像撮影システム。
【請求項２９】
請求項２０記載の放射線画像撮影システムにおいて、
前記放射線検出カセッテは、発光色の異なる２以上の発光素子を有し、
前記放射線検出カセッテの前記制御部は、
前記ホストコンピュータから送信される前記判別手段での判別結果を受信する受信手段と、
前記受信手段にて受信した前記判別結果が使用許可を示す場合に、前記発光素子のうち、ある発光色の発光素子を発光させ、前記判別結果が使用禁止を示す場合に、別の発光色の発光素子を発光させる手段とを有することを特徴とする放射線画像撮影システム。
【請求項３０】
請求項２０記載の放射線画像撮影システムにおいて、
さらに、前記放射線検出カセッテを収納する棚を有し、
前記棚は、１以上の発光素子を有し、
前記ホストコンピュータは、前記判別手段での判別結果が使用許可を示す場合に、前記発光素子を発光又は消光させる手段を有することを特徴とする放射線画像撮影システム。
【請求項３１】
請求項２０記載の放射線画像撮影システムにおいて、
さらに、前記放射線検出カセッテを収納する棚を有し、
前記棚は、発光色の異なる２以上の発光素子を有し、
前記ホストコンピュータは、前記判別手段での判別結果が使用許可を示す場合に、前記発光素子のうち、ある発光色の発光素子を発光させ、前記判別手段での判別結果が使用禁止を示す場合に、別の発光色の発光素子を発光させる手段を有することを特徴とする放射線画像撮影システム。
【請求項３２】
請求項２０記載の放射線画像撮影システムにおいて、
さらに、前記放射線検出カセッテを収納する棚を有し、
前記棚は、前記放射線検出カセッテの取出しを可／不可とするシャッタを有し、
前記ホストコンピュータは、前記判別手段での判別結果が使用許可を示す場合に、前記棚のシャッタを解放して、前記放射線検出カセッテの取出しを可とする手段を有することを特徴とする放射線画像撮影システム。
【請求項３３】
請求項２０記載の放射線画像撮影システムにおいて、
さらに、前記放射線検出カセッテを収納する棚を有し、
前記棚は、前記放射線検出カセッテの取出しを可／不可とするシャッタを有し、
前記ホストコンピュータは、前記判別手段での判別結果が使用禁止を示す場合に、前記棚のシャッタを遮蔽して、前記放射線検出カセッテの取出しを不可とする手段を有することを特徴とする放射線画像撮影システム。
【請求項３４】
請求項２０記載の放射線画像撮影システムにおいて、
前記放射線検出カセッテは、その筐体表面に設置された表示部を有し、
前記放射線検出カセッテの前記制御部は、
前記ホストコンピュータから送信される前記判別手段での判別結果を受信する受信手段と、
少なくとも前記容量検出手段、前記残量検知手段及び前記温度センサの結果並びに前記受信手段にて受信された前記判別結果を前記表示部に表示する手段を有することを特徴とする放射線画像撮影システム。
【請求項３５】
請求項２０記載の放射線画像撮影システムにおいて、
さらに、前記放射線検出カセッテを収納する棚を有し、
前記棚は、表示部を有し、
前記ホストコンピュータは、前記放射線検出カセッテからの少なくとも前記容量検出手段、前記残量検知手段及び前記温度センサの結果並びに前記判別手段での判別結果を、前記棚の前記表示部に表示する手段を有することを特徴とする放射線画像撮影システム。
【発明の詳細な説明】
【技術分野】
【０００１】
本発明は、被写体を透過した放射線を検出し、放射線画像情報に変換する放射線変換パネルを備えた放射線画像撮影システムに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
一方、手術室等においては、患者に対して迅速且つ的確な処置を施すため、撮影後の放射線変換パネルから直ちに放射線画像を読み出して表示できることが必要である。このような要求に対応可能な放射線変換パネルとして、放射線を直接電気信号に変換し、あるいは、放射線をシンチレータで可視光に変換した後、電気信号に変換して読み出す固体検出素子を用いた放射線検出器が開発されている。
【０００４】
また、従来においては、上述のような放射線検出器を、持ち運びが便利な放射線検出カセッテに、メモリ、制御回路、バッテリ、通信器と共に収容して、放射線検出器にて検出された放射線画像情報を通信器を介してホストコンピュータに無線で送信する例が提案されている。この場合、配線を気にすることなく、患者に放射線検出カセッテを設置して迅速に放射線画像の撮影を行うことができるというメリットがある。
【０００５】
ところで、これらの放射線変換パネルを用いた放射線画像撮影システムでは、放射線検出カセッテ内に収容したメモリの記憶容量の残量や、放射線検出器の温度、バッテリの残量の把握が重要になってくる。
【０００６】
そこで、従来では、例えば特許文献１に示すように、メモリの記憶容量の残量を表示したり、撮像パネルの温度を検知して撮像パネルの温度を所定の温度範囲となるように制御するようにしている。特許文献２には、バッテリの残量検知を行い、その結果に基づき撮影可能枚数を計算したり、バッテリ残量又は撮影可能枚数の情報を、ワイヤレス通信モジュールを通じて、システム制御器（通信モジュール）に送信する例が開示されている。また、特許文献３には、電池の残量を計測して、電池の残量が所定の値以下になったときに、ホストコンピュータに通知する例が開示されている。
【０００７】
【特許文献１】特開２００３−１７２７８３号公報
【特許文献２】特開２００５−００７０８６号公報
【特許文献３】特開２００５−２０８２６９号公報
【発明の開示】
【発明が解決しようとする課題】
【０００８】
しかしながら、従来のシステムは、放射線検出カセッテ内のメモリ容量が所定以下の場合、あるいはバッテリの残量が所定以下の場合にホストコンピュータに通知して当該放射線検出カセッテの使用を禁止するようにしているだけであった。放射線検出カセッテ内の温度管理をする先行技術もあるが、温度のモニタと温度制御に用いているだけであって、放射線検出カセッテの使用の如何を決定づけるパラメータとしては使用されていない。
【０００９】
放射線検出カセッテが使用できるかどうかを決定づけるパラメータとして、単にメモリ容量の残量を検知したり、バッテリの残量を検知するだけでは不十分である。実際には、メモリ容量の残量が十分であるか、バッテリの残量が十分であるか、放射線検出カセッテ内の温度が使用可能温度範囲にあるかを検知し、全て満足している場合に初めてカセッテの使用が可能となるべきである。
【００１０】
従来は、このような検知機能、モニタ機能、判別機能がなく、放射線検出カセッテの使用における信頼性が不十分であった。
【００１１】
本発明はこのような課題を考慮してなされたものであり、少なくともメモリの空き容量、バッテリの残量、放射線検出カセッテ内の温度を検知し、放射線検出カセッテの使用許可（使用可能）／使用禁止（使用不可）を判別することができ、放射線検出カセッテの使用における信頼性を向上させることができる放射線画像撮影システムを提供することを目的とする。
【課題を解決するための手段】
【００１２】
第１の本発明に係る放射線画像撮影システムは、被写体を透過した放射線を検出し、放射線画像情報に変換する放射線変換パネルと、前記放射線変換パネルによって検出された放射線画像情報を記憶するメモリと、少なくとも前記放射線変換パネルと前記メモリを制御する制御部と、これら放射線変換パネル、前記メモリ、前記制御部に電源を供給するバッテリと、少なくとも前記放射線変換パネルの温度を検出する温度センサとを有する放射線検出カセッテと、
前記被写体に向けて放射線を放射する撮影装置と、
前記放射線検出カセッテと情報のやり取りを行って前記撮影装置を制御するホストコンピュータとを有する放射線画像撮影システムにおいて、
前記放射線検出カセッテの前記制御部は、
前記ホストコンピュータからの撮影条件に関する情報を受け取る手段と、
前記メモリの空き容量を検出する容量検出手段と、
前記バッテリの残量を検知する残量検知手段と、
前記容量検出手段、前記残量検知手段及び前記温度センサの結果と、受け取った前記撮影条件に関する情報とに基づいて前記放射線検出カセッテの使用許可／禁止を判別する判別手段とを有することを特徴とする。
【００１３】
また、第２の本発明に係る放射線画像撮影システムは、被写体を透過した放射線を検出し、放射線画像情報に変換する放射線変換パネルと、前記放射線変換パネルによって検出された放射線画像情報を記憶するメモリと、少なくとも前記放射線変換パネルと前記メモリを制御する制御部と、これら放射線変換パネル、前記メモリ、前記制御部に電源を供給するバッテリと、少なくとも前記放射線変換パネルの温度を検出する温度センサとを有する放射線検出カセッテと、
前記被写体に向けて放射線を放射する撮影装置と、
前記放射線検出カセッテと情報のやり取りを行って前記撮影装置を制御するホストコンピュータとを有する放射線画像撮影システムにおいて、
前記放射線検出カセッテは、前記ホストコンピュータと通信を行う通信器を有し、
前記放射線検出カセッテの前記制御部は、
前記メモリの空き容量を検出する容量検出手段と、
前記バッテリの残量を検知する残量検知手段と、
少なくとも前記容量検出手段、前記残量検知手段及び前記温度センサの結果を前記通信器を介して前記ホストコンピュータに送信する送信手段とを有し、
前記ホストコンピュータは、入力された前記結果と撮影条件に関する情報とに基づいて前記放射線検出カセッテの使用許可／禁止を判別する判別手段を有することを特徴とする。
【発明の効果】
【００１４】
以上説明したように、本発明に係る放射線画像撮影システムによれば、少なくともメモリの空き容量、バッテリの残量、放射線検出カセッテ内の温度を検知し、放射線検出カセッテの使用許可（使用可能）／使用禁止（使用不可）を判別することができ、放射線検出カセッテの使用における信頼性を向上させることができる。
【発明を実施するための最良の形態】
【００１５】
以下、本発明に係る放射線画像撮影システムの実施の形態例を図１〜図２８を参照しながら説明する。
【００１６】
第１の実施の形態に係る放射線画像撮影システム（以下、単に第１システム１０Ａと記す）は、図１に示すように、例えば手術室１２に設置される。
【００１７】
手術室１２には、第１システム１０Ａに加えて、患者１４が横臥する手術台１６が配置されるとともに、医師１８が手術に使用する各種器具が載置される器具台２０が手術台１６の側部に配置される。また、手術台１６の周りには、麻酔器、吸引器、心電計、血圧計等、手術に必要な様々な機器が配置される。
【００１８】
第１システム１０Ａは、撮影条件に従った線量からなる放射線Ｘを患者１４に照射するための撮影装置２２と、患者１４を透過した放射線Ｘを検出する放射線検出器（後述）を内蔵した放射線検出カセッテ（以下、カセッテ２４と記す）と、放射線検出器によって検出された放射線Ｘに基づく放射線画像を表示する表示装置２６と、撮影装置２２、カセッテ２４及び表示装置２６を制御するホストコンピュータ２８とを備える。撮影装置２２、カセッテ２４、表示装置２６及びホストコンピュータ２８間では、無線通信による信号の送受信が行われる。ホストコンピュータ２８は操作卓（コンソール２７）及び表示部２９を備える。
【００１９】
撮影装置２２は、第１自在アーム３０に連結され、患者１４の撮影部位に応じた所望の位置に移動可能であるとともに、医師１８による手術の邪魔とならない位置に待避可能である。同様に、表示装置２６は、第２自在アーム３２に連結され、撮影された放射線画像を医師１８が容易に確認できる位置に移動可能である。
【００２０】
図２は、カセッテ２４の内部構成を示す一部省略して示す斜視図である。カセッテ２４は、放射線Ｘを透過させる材料からなるケーシング３４を備える。ケーシング３４の内部には、放射線Ｘが照射されるケーシング３４の照射面３６側から、患者１４による放射線Ｘの散乱線を除去するグリッド３８、患者１４を透過した放射線Ｘを検出する放射線検出器４０（放射線変換パネル）、及び、放射線Ｘのバック散乱線を吸収する鉛板４２が順に配設される。なお、ケーシング３４の照射面３６をグリッド３８として構成してもよい。
【００２１】
また、ケーシング３４の内部には、カセッテ２４の電源であるバッテリ４４と、バッテリ４４から供給される電力により放射線検出器４０を駆動制御するカセッテ制御部４６と、放射線検出器４０によって検出した放射線Ｘの情報を含む信号をホストコンピュータ２８との間で送受信する通信器４８とが収容される。なお、カセッテ制御部４６及び通信器４８には、放射線Ｘが照射されることによる損傷を回避するため、ケーシング３４の照射面３６側に鉛板等を配設しておくことが好ましい。
【００２２】
図３は、放射線検出器の回路構成を示すブロック図である。放射線検出器４０は、放射線Ｘを感知して電荷を発生させるアモルファスセレン（ａ−Ｓｅ）等の物質からなる光電変換層５１を行列状の薄膜トランジスタ（ＴＦＴ：Ｔｈｉｎ  Ｆｉｌｍ  Ｔｒａｎｓｉｓｔｏｒ）５２のアレイの上に配置した構造を有し、発生した電荷を蓄積容量５３に蓄積した後、各行毎にＴＦＴ５２を順次オンにして、電荷を画像信号として読み出す。図３では、光電変換層５１及び蓄積容量５３からなる１つの画素５０と１つのＴＦＴ５２との接続関係のみを示し、その他の画素５０の構成については省略している。なお、アモルファスセレンは、高温になると構造が変化して機能が低下してしまうため、所定の温度範囲内で使用する必要がある。従って、放射線検出カセッテ２４内に放射線検出器４０を冷却する手段を配設することが好ましい。
【００２３】
各画素５０に接続されるＴＦＴ５２には、行方向と平行に延びるゲート線５４と、列方向と平行に延びる信号線５６とが接続される。各ゲート線５４は、ライン走査駆動部５８に接続され、各信号線５６は、読取回路を構成するマルチプレクサ６６に接続される。
【００２４】
ゲート線５４には、行方向に配列されたＴＦＴ５２をオンオフ制御する制御信号Ｖｏｎ、Ｖｏｆｆがライン走査駆動部５８から供給される。この場合、ライン走査駆動部５８は、ゲート線５４を切り替える複数の第１スイッチＳＷ１と、第１スイッチＳＷ１の１つを選択する選択信号を出力する行アドレスデコーダ６０とを備える。行アドレスデコーダ６０には、カセッテ制御部４６からアドレス信号が供給される。
【００２５】
また、信号線５６には、列方向に配列されたＴＦＴ５２を介して各画素５０の蓄積容量５３に保持されている電荷が流出する。この電荷は、増幅器６２によって増幅される。増幅器６２には、サンプルホールド回路６４を介してマルチプレクサ６６が接続される。マルチプレクサ６６は、信号線５６を切り替える複数の第２スイッチＳＷ２と、第２スイッチＳＷ２の１つを選択する選択信号を出力する列アドレスデコーダ６８とを備える。列アドレスデコーダ６８には、カセッテ制御部４６からアドレス信号が供給される。マルチプレクサ６６には、Ａ／Ｄ変換器７０が接続され、Ａ／Ｄ変換器７０によってデジタル信号に変換された放射線画像情報がカセッテ制御部４６に供給される。
【００２６】
図４は、撮影装置２２、カセッテ２４、表示装置２６及びホストコンピュータ２８からなる第１システム１０Ａの構成を示すブロック図である。なお、ホストコンピュータ２８には、病院内の放射線科において取り扱われる放射線画像情報やその他の情報を統括的に管理する放射線科情報システム（ＲＩＳ）１４６が接続され、また、ＲＩＳ１４６には、病院内の医事情報を統括的に管理する医事情報システム（ＨＩＳ）１４８が接続される。
【００２７】
撮影装置２２は、パイロットランプ７２と、撮影スイッチ７４と、放射線Ｘを出力する放射線源７６と、ホストコンピュータ２８から無線通信により撮影条件を受信する一方、ホストコンピュータ２８に対して無線通信による撮影完了信号等を送信する第１送受信機７８と、撮影スイッチ７４へのＯＮ操作を契機として第１送受信機７８から供給される撮影条件に基づいて放射線源７６を制御する線源制御部８０とを備える。
【００２８】
ホストコンピュータ２８は、撮影装置２２、カセッテ２４及び表示装置２６に対して、放射線画像情報を含む必要な情報を無線通信により送受信する第２送受信機８２と、撮影装置２２による撮影に必要な撮影条件を管理する撮影条件管理部８４と、カセッテ２４から送信された放射線画像情報に対する画像処理を行う画像処理部８６と、処理した放射線画像情報を記憶する画像メモリ８８と、撮影対象である患者１４の患者情報を管理する患者情報管理部９０と、カセッテ２４から送信された後述するカセッテ情報９１（図１０参照）を管理するカセッテ情報管理部９２とを備える。ホストコンピュータ２８は、撮影装置２２、カセッテ２４及び表示装置２６に対して無線通信による信号の送受信を行うことができるのであれば、手術室１２の外に設置してもよい。
【００２９】
なお、撮影条件とは、患者１４の撮影部位に対して、適切な線量からなる放射線Ｘを照射するための管電圧、管電流、照射時間等を決定するための条件であり、例えば、撮影部位、撮影方法等の条件を挙げることができる。患者情報とは、患者１４の氏名、性別、患者ＩＤ番号等、患者１４を特定するための情報である。これらの撮影条件及び患者情報を含む撮影のオーダリング情報は、ホストコンピュータ２８でコンソール２７を用いて直接設定し、あるいは、ＲＩＳ１４６を介してホストコンピュータ２８に外部から供給することができる。
【００３０】
表示装置２６は、ホストコンピュータ２８から放射線画像情報を受信する受信機９４と、受信した放射線画像情報の表示制御を行う表示制御部９６と、表示制御部９６によって処理された放射線画像情報を表示する表示部９８とを備える。
【００３１】
一方、カセッテ２４には、放射線検出器４０、バッテリ４４、温度センサ１００、カセッテ制御部４６、通信器４８、画像用メモリ１０２及びパラメータ用メモリ１０４が収容される。また、カセッテ２４の操作面にセットスイッチ１０１が設置されている。温度センサ１００は、放射線検出器４０の温度を検出し、その検出値をデジタルデータに変換してカセッテ制御部４６に出力する。また、セットスイッチ１０１は、カセッテ２４を手術台１６にセットしたときに、ＯＮ操作される。
【００３２】
カセッテ制御部４６は、図５に示すように、カセッテ制御部４６にて作成された情報を通信器４８を介してホストコンピュータ２８や撮影装置２２に送信する送信部１０６と、ホストコンピュータ２８から通信器４８を介して送られてくる情報を受信する受信部１０８と、受信部１０８にて受信された情報のうち、撮影条件に関する情報を受け取る条件受取部１１０と、放射線検出器４０によって検出された放射線画像情報のうち、撮影条件に適合した範囲の画像を抽出して画像用メモリ１０２に記憶する画像抽出部１１２と、画像用メモリ１０２の空き容量を検出する空き容量検出部１１４と、バッテリ４４の残量を検知する残量検知部１１６と、放射線検出器４０の累積被曝線量を算出する線量算出部１１８と、判別部１２０と、キャリブレーション処理部１２２とを有する。空き容量検出部１１４で検出された値（空き容量値）、残量検知部１１６で検知された値（バッテリ残量）、線量算出部１１８で得られた値（累積被曝線量）、温度センサ１００からの値（温度）はパラメータ用メモリ１０４に記憶される。
【００３３】
キャリブレーション処理部１２２は、放射線検出器４０の暗補正、明補正、欠陥補正のための各種テーブルを作成するという処理を行う。各種テーブルは例えば画像用メモリ１０２に記憶される。
【００３４】
暗補正は、放射線検出器４０に放射線を入射しない状態において放射線検出器４０内を流れる電流である暗電流をキャンセルするものである。従って、ここでは、放射線を入射しない状態での各画素５０の蓄積電荷に伴うデータ（各画素の暗出力レベルを表すデータ）を各画素毎に記憶することで暗補正テーブル１２４を作成する。実際の画像処理では、患者１４（被写体）の放射線画像データから、暗補正テーブル１２４に登録された各画素の暗出力レベルを減ずることによって補正する。
【００３５】
明補正は、放射線検出器４０における各画素毎の光電変換特性のばらつきを補正するものである。従って、ここでは、放射線検出器４０の撮像面全面に対して一定濃度の放射線を入射し、そのときの放射線画像データを読み取る。読み取った画像データが表す各画素毎の濃度のばらつきは、各画素の光電変換特性のばらつきに起因することから、各画素毎の濃度がほぼ一定となるように、各画素毎にゲイン（明補正データ）を定め、各画素毎のゲインを記憶することで明補正テーブル１２６を作成する。実際の画像処理では、患者１４の放射線画像データを明補正テーブル１２６に登録された各画素のゲインに応じて補正する。
【００３６】
欠陥補正は、放射線検出器４０の全画素のうち、機能しない画素（欠陥画素）を検出して、欠陥画素を予測補正するというものである。従って、ここでは、上述した明補正において読み取った画像データを利用する。つまり、読み取った画像データが表す各画素毎のうち、濃度が一定の濃度からかけ離れている画素を検出し、その位置を記憶することで欠陥補正テーブル１２８を作成する。実際の画像処理では、画素間の濃度に相関性を有することを利用して、欠陥画素に隣接する複数の画素の濃度を平均化した濃度をその欠陥画素の濃度にして補正する。
【００３７】
これら暗補正、明補正及び欠陥補正を含むキャリブレーション処理は、工場出荷時やメンテナンス時に行う場合や、カセッテ２４を使用するたびに行う場合、定期的に行う場合等が考えられる。
【００３８】
工場出荷時やメンテナンス時に行う場合は、カセッテ２４の使用時においてキャリブレーション処理（各種テーブルの作成）を考慮する必要はないが、カセッテ２４を使用するたびに行う場合や定期的に行う場合は、キャリブレーション処理が終了してからカセッテ２４を使用（患者１４の放射線撮影のための使用）すべきである。従って、本実施の形態におけるキャリブレーション処理部１２２は、明補正、暗補正及び欠陥補正の全てが終了した時点で処理終了信号を出力する。
【００３９】
ここで、カセッテ２４の使用とは、例えばカセッテ２４が収納されている棚からカセッテ２４を取り出して、患者１４の１以上の撮影部位を連続して撮影することを示す。従って、カセッテ２４の使用回数は、カセッテ２４に対する放射線の曝射回数とは異なる。
【００４０】
キャリブレーション処理を定期的に行う場合とは、例えばカセッテ２４を使用するたびにカセッテ２４の使用回数を計数して例えばパラメータ用メモリ１０４に記憶し、使用回数が一定回数となった場合に、キャリブレーション処理を行うこと等を指す。
【００４１】
判別部１２０は、図６に示すように、第１判別部１３０、第２判別部１３２、最終判別部１３４、省エネ判別部１３６、実行判別部１３８及び信号出力判別部１３９を有する。
【００４２】
第１判別部１３０は、空き容量検出部１１４、残量検知部１１６及び温度センサ１００の結果と、受け取った撮影条件に関する情報とに基づいてカセッテ２４の使用許可／禁止を判別する。
【００４３】
第２判別部１３２は、線量算出部１１８にて算出された累積被爆線量が許容量を超えているか否かを判別する。
【００４４】
最終判別部１３４は、第２判別部１３２において、許容量を超えていると判別されれば、第１判別部１３０での判別結果が使用許可であっても、使用禁止と判別する。一方、第２判別部１３２で累積被爆線量が許容量を超えていないと判別されれば、第１判別部１３０での判別結果を反映する。省エネ判別部１３６、実行判別部１３８及び信号出力判別部１３９については後述する。
【００４５】
先ず、第１判別部１３０は、撮影条件に関する情報に基づいて、これから行われる撮影によって画像用メモリ１０２の使用容量を予測する使用容量予測部１４０と、撮影条件に関する情報に基づいて、バッテリ４４の消費容量を予測する消費容量予測部１４２と、撮影条件に関する情報に基づいて、放射線検出器４０の温度上昇幅を予測する温度予測部１４４とを有する。使用容量予測部１４０にて得られた値（使用容量予測値）と、消費容量予測部１４２で得られた値（予測消費容量値）、温度予測部１４４で得られた値（予測温度上昇値）はそれぞれパラメータ用メモリ１０４に記憶される。
【００４６】
画像用メモリ１０２は、例えばＤＲＡＭ（ダイナミック・ランダム・メモリ）やハードディスクにて構成することができる。パラメータ用メモリ１０４は、カセッテ２４を特定するためのカセッテＩＤ情報や上述した空き容量検出部１１４等で得られた値が記憶され、例えばフラッシュメモリで構成することができる。もちろん、画像用メモリ１０２とパラメータ用メモリ１０４を１つのハードディスクで構成することができ、この場合、画像用メモリ１０２とパラメータ用メモリ１０４とを論理的に分離してメモリ管理することが好ましい。なお、画像用メモリ１０２の容量は、１回の放射線放射によって放射線検出器４０に検出された放射線画像情報を１枚の画像としたとき、数枚〜数１０枚の画像を記憶できる容量とされている。
【００４７】
ここで、撮影条件について説明すると、撮影条件は、ＲＩＳ１４６やＨＩＳ１４８を通じて例えば医師１８によって入力された撮影部位の指示等である。指示された撮影部位によっては、放射線検出器４０にて撮像した放射線画像の全面（全部）を使用したり、放射線画像の一部を使用したりする。特に、放射線画像の一部を使用する場合は、放射線検出器４０の全画素５０を走査する必要はなく、使用する放射線画像の一部に対応する画素５０を走査すれば済む。
【００４８】
放射線検出器４０の温度上昇は、環境温度の上昇に加えて、例えば各画素５０に対する走査、すなわち、ライン走査駆動部５８での駆動とマルチプレクサ６６での駆動も起因しており、ライン走査駆動部５８での第１スイッチＳＷ１の切換回数、マルチプレクサ６６での第２スイッチＳＷ２の切換回数が多くなればそれだけ熱量が増加し、放射線検出器４０の温度の上昇幅が大きくなる。一方、ライン走査駆動部５８での第１スイッチＳＷ１の切換回数、マルチプレクサ６６での第２スイッチＳＷ２の切換回数が少なければ温度の上昇幅も小さくなる。
【００４９】
従って、放射線検出器４０の全画素５０を走査するか、あるいは、一部の画素を走査するかによって、放射線検出器４０の温度の上昇幅が変わることになる。
【００５０】
これは、カセッテ２４での消費電力についても同様であり、ライン走査駆動部５８での第１スイッチＳＷ１の切換回数、マルチプレクサ６６での第２スイッチＳＷ２の切換回数に応じて消費電力が変化することになる。もちろん、切換回数が少ないほど消費電力も少なくなる。バッテリ４４の消費容量は、この消費電力に依存し、消費電力が多くなれば、バッテリ４４の消費容量もそれに応じて多くなる。従って、放射線検出器４０によって検出された放射線画像情報を全て読み出す場合の消費電力及びバッテリ４４の消費容量を予め把握しておけば、撮影条件に応じたバッテリ４４の消費容量を予測することができる。
【００５１】
また、画像用メモリ１０２での使用容量についても同様であり、ライン走査駆動部５８での第１スイッチＳＷ１の切換回数、マルチプレクサ６６での第２スイッチＳＷ２の切換回数に応じて画像用メモリ１０２に記憶すべきデータ量が変化することになる。もちろん、切換回数が少ないほどデータ量も少なくなる。
【００５２】
撮影条件、特に、撮影部位の指示として考えられるのは、（１）放射線検出器４０の撮像面の全面使用（図７参照）、（２）撮像面の半分使用（図８Ａ〜図８Ｄ参照）、（３）撮像面の１／４使用（図９Ａ〜図９Ｉ）がある。図７、図８Ａ〜図８Ｄ、図９Ａ〜図９Ｉにおいて、斜線で示された領域が使用領域１５０である。
【００５３】
そこで、画像抽出部１１２は、条件受取部１１０にて受け取られた撮影条件、特に、撮影部位の指示内容に基づいて、ライン走査駆動部５８の行アドレスデコーダ６０及びマルチプレクサ６６の列アドレスデコーダ６８に供給すべきアドレス信号を生成する。
【００５４】
例えば撮影部位の指示内容が、放射線検出器４０の撮像面の全面使用（図７参照）であれば、ライン走査駆動部５８の全第１スイッチＳＷ１がシリーズに切り替わるようなアドレス信号を生成して行アドレスデコーダ６０に供給すると共に、マルチプレクサ６６の全第２スイッチＳＷ２がシリーズに切り替わるようなアドレス信号を生成して列アドレスデコーダ６８に供給する。
【００５５】
撮影部位の指示内容が、放射線検出器４０の撮像面の半分使用（図８Ａ〜図８Ｄ参照）であれば、ライン走査駆動部５８の第１スイッチＳＷ１のうち、使用される撮像面に対応した第１スイッチＳＷ１のみがシリーズに切り替わるようなアドレス信号を生成して行アドレスデコーダ６０に供給すると共に、マルチプレクサ６６の第２スイッチＳＷ２のうち、使用される撮像面に対応した第２スイッチＳＷ２のみがシリーズに切り替わるようなアドレス信号を生成して列アドレスデコーダ６８に供給する。
【００５６】
撮影部位の指示内容が、放射線検出器４０の撮像面の１／４使用（図９Ａ〜図９Ｉ）についても同様である。
【００５７】
これによって、画像抽出部１１２において、放射線検出器４０にて検出された放射線画像情報のうち、使用される撮像面に対応した画像のみが抽出されて、画像用メモリ１０２に記憶されることになる。
【００５８】
このようなことから、本実施の形態では、カセッテ２４内の放射線検出器４０に対して放射線を照射する前（すなわち、放射線による撮影を行う前）に、予め空き容量検出部１１４にて画像用メモリ１０２の空き容量を検出し、残量検知部１１６にてバッテリ４４の残量を検知し、温度センサ１００にて放射線検出器４０の温度を検出する。
【００５９】
そして、これから放射線による撮影を行うにあたって、ホストコンピュータ２８からカセッテ２４に対して撮影条件が送信され、カセッテ２４のカセッテ制御部４６における条件受取部１１０にて受け取られることになる。
【００６０】
第１判別部１３０の使用容量予測部１４０は、受け取られた撮影条件（特に、撮影部位の指示内容）に基づいて画像用メモリ１０２の使用容量を予測する。撮像面の全面を使用する場合は、全画素数×深度（１画素に割り当てられるビット数）が予測使用容量とされ、撮像面の半分や１／４を使用する場合は、使用する画素数×深度が予測使用容量とされる。
【００６１】
消費容量予測部１４２は、受け取られた撮影条件に基づいてバッテリ４４の消費容量を予測する。この場合、予め当該カセッテ２４における放射線検出器４０の撮像面全面を使用した場合のバッテリ４４の消費容量（基準消費容量）を把握して、例えばパラメータ用メモリ１０４に記憶しておき、この基準消費容量に係数を乗算することで予測消費容量を求める。係数としては、例えば撮像面全面を使用する場合は「１」、撮像面の半分を使用する場合は「０．５」、撮像面の１／４を使用する場合は「０．２５」を使用することができる。もちろん、この係数に、温度や種々の要因から導かれる別の係数を乗算したものを使用するようにしてもよい。
【００６２】
温度予測部１４４は、受け取られた撮影条件に基づいて放射線検出器４０の温度上昇を予測する。この場合、予め当該カセッテ２４における放射線検出器４０の撮像面全面を使用した場合の放射線検出器４０の温度上昇幅（基準上昇幅）を把握して、例えばパラメータ用メモリ１０４に記憶しておき、この基準上昇幅に係数を乗算することで予測温度上昇を求める。係数としては、例えば撮像面全面を使用する場合は「１」、撮像面の半分を使用する場合は「０．５」、撮像面の１／４を使用する場合は「０．２５」を使用することができる。もちろん、この係数に、種々の要因から導かれる別の係数を乗算したものを使用するようにしてもよい。
【００６３】
そして、第１判別部１３０は、空き容量検出部１１４の結果（画像用メモリ１０２の現時点の空き容量）が予測使用容量以上であって、且つ、残量検知部１１６の結果（バッテリ４４の現時点の残量）が予測消費容量以上であって、且つ、温度センサ１００の結果（放射線検出器４０の現時点の温度）に予測温度上昇を付加した温度が予め設定された許容温度以下である場合に、第１判別部１３０での判別結果として、使用許可を示す情報を出力し、それ以外の場合に使用禁止を示す情報を出力する。
【００６４】
次に、線量算出部１１８及び第２判別部１３２について説明する。
【００６５】
線量算出部１１８は、画像用メモリ１０２に記憶された放射線画像情報に基づき、当該カセッテ２４の累積被曝線量を算出する。
【００６６】
すなわち、線量算出部１１８は、放射線検出器４０の各画素５０によって検出され画像用メモリ１０２に記憶された放射線画像情報である放射線Ｘの線量の最大値を、当該カセッテ２４に対する放射線画像情報の撮影毎に累積し、その累積被曝線量をパラメータ用メモリ１０４に記憶する。
【００６７】
累積被曝線量は、例えば、放射線源７６とカセッテ２４との間に患者１４が配置される確率が少ない特定の画素５０を指定し、その画素５０によって検出された放射線Ｘの線量を累積した値としてもよい。あるいは、放射線源７６から出力される放射線Ｘの線量に基づき、放射線検出器４０に照射される放射線Ｘの線量を推定し、その推定値を累積した値を累積被曝線量としてもよい。あるいは、放射線検出器４０にて放射線Ｘを検出した回数、すなわち、１枚の画像（１回の放射線放射によって放射線検出器４０に検出された放射線画像情報）を画像抽出部１１２を介して画像用メモリ１０２に記憶させた回数としてもよい。
【００６８】
第２判別部１３２は、線量算出部１１８にて得られた値と予め設定しておいた許容値（許容累積被曝線量や許容回数）とを比較し、許容値を超えていない場合に、使用許可を示す情報を出力し、許容量を超えている場合に使用禁止を示す情報を出力する。
【００６９】
そして、最終判別部１３４は、第２判別部１３２から使用禁止を示す情報が出力された場合は、最終判別結果として、そのまま使用禁止を示す情報を出力し、第２判別部１３２から使用許可を示す情報が出力された場合は、第１判別部１３０での判別結果を出力する。
【００７０】
次に、省エネ判別部１３６について説明する。省エネ判別部１３６は、バッテリ４４の残量と動作温度に基づいて省エネモードへの移行が可能かを判別する。
【００７１】
通常、省エネモードは、カセッテ２４を使用しない場合に、バッテリ４４の電源供給を切ったり、バッテリ４４からの電源供給経路を制限する等の動作を指す。
【００７２】
しかし、ここでいう省エネモードとは、カセッテ２４を使用する際の省エネモードであって、使用時の動作速度（ＣＰＵのクロック周波数、画像処理速度、画像転送速度）を遅くしたり、放射線検出器４０のリフレッシュ／リセットの頻度を減らす等である。
【００７３】
上述のような使用時の動作速度や放射線検出器４０のリフレッシュ／リセットの頻度を減らすと、放射線検出器４０の温度上昇や消費電力（バッテリ４４の消費容量）も通常の場合よりも減ることになる。
【００７４】
従って、省エネモードでの温度上昇やバッテリ４４の消費容量を予め把握しておき、それを低減率を示す係数としてパラメータ用メモリ１０４に記憶させ、この低減率を示す係数を予測消費容量値及び予測温度上昇値に乗算することで、省エネモードでの予測消費容量値及び予測温度上昇値を得ることができる。これらの値もパラメータ用メモリ１０４に記憶することが好ましい。
【００７５】
そして、省エネ判別部１３６において、空き容量検出部１１４の結果（画像用メモリ１０２の現時点の空き容量）が予測使用容量以上であって、且つ、残量検知部１１６の結果（バッテリ４４の現時点の残量）が省エネモードでの予測消費容量以上であって、且つ、温度センサ１００の結果（放射線検出器４０の現時点の温度）に省エネモードでの予測温度上昇値を付加した温度が予め設定された許容温度以下である場合に、省エネ判別部１３６での判別結果として、省エネモードへの移行可能を示す情報を出力する。この省エネ判別部１３６からの判別結果は、パラメータ用メモリ１０４に記憶される。この省エネモードへの移行可能を示す情報は後述するように、カセッテ情報９１に含まれてホストコンピュータ２８に送信される。
【００７６】
この省エネ判別部１３６での判別処理は、最終判別部１３４での判別結果が使用禁止を示す場合に行うようにしてもよい。これにより、通常は使用禁止であるが、省エネモードで動作させれば使用可能になる場合もあり、例えば、他の使用可能なカセッテ２４がなく、緊急性のある場合に有効である。
【００７７】
なお、カセッテ２４での省エネモードへの移行は、カセッテ２４からホストコンピュータ２８に対する省エネモードへの移行可能を示す情報に基づいて、ホストコンピュータ２８からカセッテ２４に送信される省エネモードへの移行を指示する情報の入力に基づいて行われる。
【００７８】
送信部１０６は、最終判別部１３４から出力される使用可能を示す情報又は使用禁止を示す情報を含むカセッテ情報９１を通信器４８を介してホストコンピュータ２８に送信する。送信するカセッテ情報９１は、図１０に示すように、パラメータ用メモリ１０４に記憶された情報、すなわち、カセッテＩＤ情報、最終判別部１３４からの使用許可／使用禁止を示す情報、空き容量検出部１１４で検出された値（空き容量値）、残量検知部１１６で検知された値（バッテリ残量）、線量算出部１１８で得られた値（累積被爆線量）、温度センサ１００からの値（温度）、省エネ判別部１３６からの省エネ情報（省エネモードへの移行可能を示す情報）等である。
【００７９】
ホストコンピュータ２８は、上述のカセッテ情報９１を第２送受信機８２を介して受け取ってカセッテ情報管理部９２に送る。カセッテ情報管理部９２は、送られてきたカセッテ情報９１をカセッテＩＤ情報に基づいてテーブル化して管理する。カセッテ情報管理部９２は、テーブル化したカセッテ情報９１を第２送受信機８２を介して表示装置２６に送り、表示部９８に表示するようにしてもよい。これにより、医師や担当の放射線技師は、表示装置２６の表示部９８に表示されている内容を見ることにより、各カセッテ２４の現在の状態を一目で確認することができる。もちろん、ホストコンピュータ２８の表示部２９にもカセッテ情報９１を表示するようにしてもよい。ホストコンピュータ２８のコンソール２７を操作するオペレータも各カセッテ２４の現在の状態を一目で確認することができる。
【００８０】
次に、実行判別部１３８について説明する。この実行判別部１３８は、キャリブレーション処理の実行の要否を判別する。この判別の契機は、セットスイッチ１０１のＯＮ操作に基づく。セットスイッチ１０１は、使用許可とされたカセッテ２４を手術台１６にセットした段階で、医師又は担当の放射線技師によってＯＮ操作されることになる。そして、キャリブレーション処理の実行が必要な場合には、キャリブレーション処理部１２２を起動すると共に、ホストコンピュータ２８にキャリブレーション処理を促す信号とカセッテＩＤ情報を送信部１０６及び通信器４８を介して出力する。
【００８１】
キャリブレーション処理の要否を判別する手法としては、例えばカセッテ２４を使用するたびにキャリブレーション処理を行う場合は、揮発性のフラグ１５２（電源供給がなくなった場合に初期値「０」となるフラグ）を用いればよい。フラグ１５２は、カセッテ制御部４６のＣＰＵに内蔵されたフラグやレジスタを使用することができる。
【００８２】
そして、実行判別部１３８は、セットスイッチ１０１がＯＮ操作され、且つ、フラグが「０」であるときに、キャリブレーション処理部１２２を起動すると共に、ホストコンピュータ２８にキャリブレーション処理を促す信号とカセッテＩＤ情報を送信部１０６及び通信器４８を介して出力する。その結果、ホストコンピュータ２８との連繋（テスト用の放射線の曝射等）によって当該カセッテ２４の放射線検出器４０のキャリブレーションが行われることとなる。キャリブレーション処理部１２２での補正処理（各種テーブルの作成処理）が終了した段階で、例えばキャリブレーション処理部１２２がフラグに「１」をセットする。
【００８３】
その後、バッテリ４４による電源供給が行われている期間において、最終判別部１３４から使用可能を示す情報が出力されても、フラグは「１」となっているため、次のキャリブレーションは行われない。フラグが「０」になるのは、バッテリ４４による電源供給が切れた場合である。このとき、カセッテ２４は、例えば棚等に収納されて次の使用を待つことになる。
【００８４】
つまり、バッテリ４４による電源供給が開始されてから１回だけキャリブレーション処理が行われることになる。これは、カセッテ２４を使用するたびにキャリブレーション処理が行われることにほかならない。
【００８５】
キャリブレーション処理を定期的に行う場合は、フラグ１５２とパラメータ用メモリ１０４を利用する。キャリブレーション処理部１２２はフラグ１５２への「１」のセットを行うと共に、パラメータ用メモリ１０４の所定の記憶領域に、フラグ１５２への「１」のセットの回数の累算値（初期値「０」）を記憶し、累算値が所定値となった段階で累算値を「０」にリセットする。
【００８６】
そして、実行判別部１３８は、セットスイッチ１０１がＯＮ操作され、且つ、パラメータ用メモリ１０４の前記所定の記憶領域が「０」であるときに、キャリブレーション処理部１２２を起動すると共に、ホストコンピュータ２８にキャリブレーション処理を促す信号とカセッテＩＤ情報を送信する。その結果、ホストコンピュータ２８との連繋によって当該カセッテ２４の放射線検出器のキャリブレーションが行われることとなる。
【００８７】
その後、何回かカセッテ２４の使用が行われている期間においては、最終判別部１３４から使用可能を示す情報が出力されても、パラメータ用メモリ１０４の前記所定の記憶領域が「０」と異なった値となっているため、次のキャリブレーションは行われない。パラメータ用メモリ１０４の前記所定の記憶領域が「０」になるのは、カセッテ２４を所定回数使用した後である。
【００８８】
つまり、当該カセッテ２４に対して定期的にキャリブレーション処理が行われることになる。
【００８９】
次に、信号出力判別部１３９について説明する。この信号出力判別部１３９は、撮影許可信号Ｓｄ（レディ信号）の出力タイミングを判別する。この判別の契機は、セットスイッチ１０１のＯＮ操作に基づく。
【００９０】
そして、撮影許可信号Ｓｄの出力タイミングとしては、以下の３つが挙げられる。
【００９１】
先ず、キャリブレーション処理をカセッテ２４の出荷時やメンテナンス時において行う場合においては、使用許可とされたカセッテ２４が手術台１６にセットされ、さらに、セットスイッチ１０１がＯＮ操作されることによって、信号出力判別部１３９からそのまま撮影許可信号Ｓｄが出力されて、送信部１０６及び通信器４８を介してホストコンピュータ２８や撮影装置２２に送信されることになる。
【００９２】
一方、キャリブレーション処理をカセッテ２４を使用するたびに行う場合は、使用許可とされたカセッテ２４が手術台１６にセットされ、さらに、セットスイッチ１０１がＯＮ操作されることになるが、信号出力判別部１３９は、フラグ１５２が「０」の場合（キャリブレーション処理が行われる場合）に、キャリブレーション処理部１２２から出力される処理終了信号の入力に基づいて撮影許可信号Ｓｄを出力する。信号出力判別部１３９からの撮影許可信号Ｓｄは送信部１０６及び通信器４８を介してホストコンピュータ２８や撮影装置２２に送信される。セットスイッチ１０１がＯＮ操作されたときに、フラグ１５２が「１」の場合（キャリブレーション処理が行われない場合）においては、前記処理終了信号の入力を待つことなく、撮影許可信号Ｓｄを出力する。
【００９３】
キャリブレーション処理を定期的に行う場合は、使用許可とされたカセッテ２４が手術台１６にセットされ、さらに、セットスイッチ１０１がＯＮ操作されることになるが、信号出力判別部１３９は、パラメータ用メモリ１０４の前記所定の記憶領域が「０」の場合（キャリブレーション処理が行われる場合）に、キャリブレーション処理部１２２から出力される処理終了信号の入力に基づいて撮影許可信号Ｓｄを出力する。セットスイッチ１０１がＯＮ操作されたときに、パラメータ用メモリ１０４の前記所定の記憶領域が「０」と異なる場合（キャリブレーション処理が行われない場合）においては、前記処理終了信号の入力を待つことなく、撮影許可信号Ｓｄを出力する。
【００９４】
ここで、撮影許可信号Ｓｄによる撮影のタイミングの２つの態様について説明する。
【００９５】
先ず、撮影対象である患者１４の患者情報は、撮影に先立ち、ホストコンピュータ２８の患者情報管理部９０に予め登録しておく。また、撮影部位や撮影方法が予め決まっている場合には、これらの撮影条件を撮影条件管理部８４に予め登録しておく。以上の準備作業が終了した状態において、患者１４に対する手術が遂行される。
【００９６】
手術中において放射線画像の撮影を行う場合、医師１８又は担当する放射線技師は、患者１４と手術台１６との間の所定位置に、照射面３６を撮影装置２２側とした状態でカセッテ２４を設置し、カセッテ２４のセットスイッチ１０１をＯＮ操作する。この例では、キャリブレーション処理が終わったカセッテ２４を対象にしている。
【００９７】
上述したように、セットスイッチ１０１のＯＮ操作に基づいてカセッテ２４から撮影許可信号Ｓｄが出力される。
【００９８】
そして、第１の態様では、カセッテ２４からの撮影許可信号Ｓｄがホストコンピュータ２８に向けて送信される。撮影許可信号Ｓｄは、患者１４に対して撮影を行ってもよいとの通知であるから、ホストコンピュータ２８は、撮影許可信号Ｓｄの入力に基づいて撮影開始信号を発生すると共に、撮影条件管理部８４から当該患者１４の撮影部位に係る撮影条件を取り出す。発生した撮影開始信号と撮影条件は、第２送受信機８２を介して撮影装置２２に送信される。
【００９９】
撮影装置２２は、ホストコンピュータ２８からの撮影開始信号の入力に基づいてパイロットランプ７２を点灯し、医師１８又は担当の放射線技師に撮影スイッチ７４のＯＮ操作を促す。医師１８又は担当の放射線技師は、撮影装置２２をカセッテ２４に対向する位置に移動させた後、撮影スイッチ７４をＯＮ操作して撮影を行う。
【０１００】
撮影装置２２の線源制御部８０は、第１送受信機７８を介して受信した当該患者１４の撮影部位に係る撮影条件に従って放射線源７６を制御することにより、所定の線量からなる放射線Ｘを患者１４に照射する。
【０１０１】
患者１４を透過した放射線Ｘは、カセッテ２４のグリッド３８によって散乱線が除去された後、放射線検出器４０に照射され、放射線検出器４０を構成する各画素５０の光電変換層５１によって電気信号に変換され、蓄積容量５３に電荷として保持される（図３参照）。次いで、各蓄積容量５３に保持された患者１４の放射線画像情報である電荷情報は、カセッテ制御部４６の画像抽出部１１２からライン走査駆動部５８及びマルチプレクサ６６に供給されるアドレス信号に従って読み出される。
【０１０２】
すなわち、ライン走査駆動部５８の行アドレスデコーダ６０は、画像抽出部１１２から供給されるアドレス信号に従って選択信号を出力して必要な第１スイッチＳＷ１のうち、１つの第１スイッチＳＷ１を選択し、対応するゲート線５４に接続されたＴＦＴ５２のゲートに制御信号Ｖｏｎを供給する。一方、マルチプレクサ６６の列アドレスデコーダ６８は、画像抽出部１１２から供給されるアドレス信号に従って選択信号を出力して必要な第２スイッチＳＷ２を順次切り替え、ライン走査駆動部５８によって選択されたゲート線５４に接続された各画素５０の蓄積容量５３に保持された電荷情報である放射線画像情報を信号線５６を介して順次読み出す。
【０１０３】
放射線検出器４０の選択された１つのゲート線５４に接続された各画素５０の蓄積容量５３から読み出された放射線画像情報は、各増幅器６２によって増幅された後、各サンプルホールド回路６４によってサンプリングされ、マルチプレクサ６６を介してＡ／Ｄ変換器７０に供給され、デジタル信号に変換される。デジタル信号に変換された行データは、カセッテ制御部４６の画像用メモリ１０２に記憶される。
【０１０４】
上述の一連の操作を必要な行数だけ行うことによって、順番に行データが画像用メモリ１０２に記憶され、最終的に撮影条件に従った画像データ（放射線画像情報）が画像用メモリ１０２に記憶されることになる。画像用メモリ１０２に記憶された最新の画像データは、通信器４８を介して、無線通信によりホストコンピュータ２８に送信される。もちろん、行データ単位にホストコンピュータ２８に送信するようにしてもよい。
【０１０５】
ホストコンピュータ２８に送信された放射線画像情報は、第２送受信機８２によって受信され、画像処理部８６において所定の画像処理が施された後、患者情報管理部９０に登録されている患者１４の患者情報と関連付けられた状態で画像メモリ８８に記憶される。
【０１０６】
また、画像処理の施された放射線画像情報は、第２送受信機８２から表示装置２６に送信される。受信機９４によって放射線画像情報を受信した表示装置２６は、表示制御部９６によって表示部９８を制御し、放射線画像を表示する。医師１８は、表示部９８に表示された放射線画像を確認しながら手術を遂行する。
【０１０７】
この場合、カセッテ２４とホストコンピュータ２８との間、撮影装置２２とホストコンピュータ２８との間、及び、ホストコンピュータ２８と表示装置２６との間には、信号を送受信するためのケーブルが連結されていないため、例えば、手術室１２の床面にこれらのケーブルが配設されることがなく、医師１８等の作業に支障を来すおそれがない。
【０１０８】
また、カセッテ２４からの撮影許可信号Ｓｄは、キャリブレーション処理が必要な場合においては、キャリブレーション処理が終了してからカセッテ２４から送信されるため、患者１４に間違ってテスト用の放射線を曝射させる心配がない。
【０１０９】
次に、第２の態様では、撮影装置２２に、撮影対象である患者１４の撮影条件が取得されていることが前提となる。例えばホストコンピュータにおいて、撮影対象である患者１４の撮影条件が登録されるが、この登録の際に、その撮影条件が第２送受信機８２を介して撮影装置２２に向けて送信される。
【０１１０】
その後、カセッテ２４から撮影許可信号Ｓｄが撮影装置２２に向けて送信されることになる。
【０１１１】
撮影装置２２は、カセッテ２４からの撮影開始信号Ｓｄの入力に基づいてパイロットランプ７２を点灯し、医師１８又は担当の放射線技師に撮影スイッチ７４のＯＮ操作を促す。医師１８又は担当の放射線技師は、撮影装置２２をカセッテ２４に対向する位置に移動させた後、撮影スイッチ７４をＯＮ操作して撮影を行う。
【０１１２】
撮影装置２２の線源制御部８０は、第１送受信機７８を介して受信した当該患者１４の撮影部位に係る撮影条件に従って放射線源７６を制御することにより、所定の線量からなる放射線Ｘを患者１４に照射する。その後の動作及び効果は、上述した第１の態様と同じであるため、その説明を省略する。
【０１１３】
次に、例えば手術室１２内に持ち込まれた１以上のカセッテ２４から、撮影条件に適合した使用可能なカセッテ２４を検索する態様について説明する。
【０１１４】
この場合、カセッテ２４のケーシング３４には１以上の発光素子が設置される。具体的には、図１１に示すように、カセッテ２４のケーシング３４の１つの側面３４ａに１つの発光素子１５４が設けられる。カセッテ制御部４６は、図１２に示すように、判別部１２０の最終判別部１３４からの使用許可を示す情報の出力に基づいて発光素子１５４を発光させる発光制御部１５６を有する。なお、図１２において、送信部１０６（図５参照）等の記載は省略してある。
【０１１５】
図１１に示すように、例えば４つのカセッテ２４が持ち込まれた場合に、ホストコンピュータ２８から全てのカセッテ２４及び撮影装置２２に対して撮影部位等に係る撮影条件が送信される。撮影条件は、上述したように、ＨＩＳ１４８やＲＩＳ１４６を通じてホストコンピュータ２８に入力され、ホストコンピュータ２８の撮影条件管理部８４に登録されることになる。各カセッテ２４は、それぞれ通信器４８を介して撮影条件を無線通信により取得し、撮影装置２２も第１送受信機７８を介して撮影条件を無線通信により取得する。
【０１１６】
４つのカセッテ２４における各カセッテ制御部４６は、受け取った撮影条件に基づいて使用可能／使用禁止を判別する。そして、４つのカセッテ２４のうち、使用可能なカセッテ２４の発光素子１５４が発光し、その他のカセッテ２４の発光素子１５４は発光しないこととなる。もちろん、４つとも発光する場合もあるし、４つとも発光しないこともありうる。
【０１１７】
医師１８又は担当する放射線技師は、４つのカセッテ２４のうち、発光素子１５４が発光したカセッテ２４を取り出して、患者１４と手術台１６との間の所定位置に、照射面３６を撮影装置２２側とした状態で、使用可能なカセッテ２４を設置することとなる。
【０１１８】
このように、医師１８又は担当する放射線技師は、次の撮影に適合したカセッテを容易に認識することができ、スムーズに患者に対して撮影を行うことができる。
【０１１９】
他の発光形態としては、図１３に示すように、例えば発光色の異なる２つの発光素子（緑色発光素子１５４ａ及び赤色発光素子１５４ｂ）をカセッテ２４の１つの側面３４ａに設ける。図１４に示すように、カセッテ制御部４６内の発光制御部１５６は、判別部１２０の最終判別部１３４から出力される使用許可を示す情報の入力に基づいて、一方の発光素子（例えば緑色発光素子１５４ａ）を発光するように制御し、最終判別部１３４から出力される使用禁止を示す情報の入力に基づいて、他方の発光素子（例えば赤色発光素子１５４ｂ）を発光するように制御する。図１４において、送信部１０６等の記載は省略してある。
【０１２０】
医師１８又は担当する放射線技師は、４つのカセッテ２４のうち、緑色発光素子１５４ａが発光したカセッテ２４を取り出して、患者１４と手術台１６との間の所定位置に、照射面３６を撮影装置２２側とした状態でカセッテ２４を設置することとなる。
【０１２１】
また、図１５に示すように、カセッテ２４の１つの側面３４ａに例えば液晶表示部１５８を設けるようにしてもよい。この場合、カセッテ制御部４６は、図１６に示すように、パラメータ用メモリ１０４に記憶されているカセッテ情報９１（例えばカセッテＩＤ情報、空き容量値、バッテリ残量、累積被曝線量、温度、使用可能／禁止、省エネ情報等：図１０参照）を液晶表示部１５８に表示するための情報表示制御部１６０を有する。図１６において、送信部１０６等の記載を省略してある。
【０１２２】
これにより、医師１８又は担当の放射線技師は、カセッテ２４の現在の状態を知ることができ、カセッテ２４の使用可能なレベルや部品交換の時期、メンテナンスの時期を正確に把握することができる。
【０１２３】
次に、第１システム１０Ａの他の使用形態について説明する。この他の使用形態は、図１７に示すように、手術室１２内に複数のカセッテ２４を収納可能なラック１６２（ｒａｃｋ）を設置している場合に、このラック１６２を有効利用するものである。
【０１２４】
ラック１６２の各棚１６４（ｓｈｅｌｆ）には、それぞれカセッテＩＤ情報が割り当てられ、カセッテＩＤ情報を基準とした１対１対応で、各棚１６４にそれぞれカセッテ２４が収納されている。
【０１２５】
そして、ラック１６２の各棚１６４の開口近傍には１以上の発光素子が設置される。具体的には、図１７に示すように、各棚１６４の開口近傍における桟１６６の部分にそれぞれ１つの発光素子１５４が設けられる。ホストコンピュータ２８は、図１８に示すように、情報検索部１６８と、発光制御部１５６とを有する。
【０１２６】
情報検索部１６８は、カセッテ情報管理部９２に登録されているカセッテＩＤ情報毎にテーブル化された複数のカセッテ情報９１のうち、使用許可を示す情報が格納されているカセッテ情報９１を検索し、検索したカセッテ情報９１に対応するカセッテＩＤ情報を読み出す。発光制御部１５６は、情報検索部１６８によって読み出されたカセッテＩＤ情報に対応する棚１６４の発光素子１５４を発光するように制御する。例えば発光させるべき発光素子１５４に対して、例えばフレキシブルケーブル等を介して発光信号を出力することによって、該当する発光素子１５４を発光させる。なお、図１８において、撮影条件管理部８４（図４参照）等の記載は省略してある。
【０１２７】
従って、ラック１６２に収納された複数のカセッテ２４のうち、使用可能なカセッテ２４が収納された棚１６４の発光素子１５４が発光し、その他のカセッテ２４の発光素子１５４は発光しないこととなる。
【０１２８】
医師１８又は担当する放射線技師は、ラック１６２に収納された複数のカセッテ２４のうち、発光素子１５４が発光した棚１６４に収納されたカセッテ２４を取り出して、患者１４と手術台１６との間の所定位置に、照射面３６を撮影装置２２側とした状態で、使用可能なカセッテ２４を設置することとなる。
【０１２９】
他の発光形態としては、図１９に示すように、例えば発光色の異なる２つの発光素子（緑色発光素子１５４ａ及び赤色発光素子１５４ｂ）を各棚１６４の開口近傍における桟１６６の部分に設ける。ホストコンピュータは、図２０に示すように、情報検索部１６８と、第１発光制御部１５６Ａと、第２発光制御部１５６Ｂとを有する。なお、図２０において、撮影条件管理部８４（図４参照）等の記載は省略してある。
【０１３０】
情報検索部１６８は、カセッテ情報管理部９２に登録されているカセッテＩＤ情報毎にテーブル化された複数のカセッテ情報９１のうち、使用許可を示す情報が格納されているカセッテ情報９１と、使用禁止を示す情報が格納されているカセッテ情報９１とを検索し、検索したカセッテ情報９１に対応するカセッテＩＤ情報を読み出す。そして、使用許可のカセッテ情報９１に対応するカセッテＩＤ情報を第１発光制御部１５６Ａに出力し、使用禁止のカセッテ情報９１に対応するカセッテＩＤ情報を第２発光制御部１５６Ｂに出力する。
【０１３１】
第１発光制御部１５６Ａは、情報検索部１６８から送られてきた使用許可のカセッテＩＤ情報に対応する棚１６４の緑色発光素子１５４ａを発光するように制御する。例えば発光させるべき緑色発光素子１５４ａに対して、例えば第１フレキシブルケーブル１７０Ａ等を介して発光信号を出力することによって、該当する緑色発光素子１５４ａを発光させる。
【０１３２】
同様に、第２発光制御部１５６Ｂは、情報検索部１６８から送られてきた使用禁止のカセッテＩＤ情報に対応する棚１６４の赤色発光素子１５４ｂに対して、例えば第２フレキシブルケーブル１７０Ｂ等を介して発光信号を出力することによって、該当する赤色発光素子１５４ｂを発光させる。
【０１３３】
また、図２１に示すように、各棚１６４の開口近傍における桟１６６の部分にそれぞれ液晶表示部１５８を設けるようにしてもよい。
【０１３４】
この場合、ホストコンピュータ２８は、図２２に示すように、情報検索部１６８と、情報表示制御部１６０とを有する。なお、図２２において、撮影条件管理部８４（図４参照）等の記載は省略してある。
【０１３５】
情報検索部１６８は、カセッテ情報管理部９２に登録されているカセッテＩＤ情報毎にテーブル化された複数のカセッテ情報９１を順番に読み出す。
【０１３６】
情報表示制御部１６０は、情報検索部１６８によって順番に読み出されたカセッテ情報９１を、それぞれカセッテＩＤ情報に対応する棚１６４の液晶表示部１５８に出力表示するように制御する。１つのカセッテ情報９１についてみると、読み出されたカセッテ情報９１に格納されたカセッテＩＤ情報に対応する棚１６４の液晶表示部１５８に例えばフレキシブルケーブル１７０等を介して当該カセッテ情報９１を出力する。これにより、対応する棚１６４の液晶表示部１５８に該当するカセッテ情報９１が表示されることになる。これを全ての棚１６４について行う。
【０１３７】
これにより、医師１８又は担当の放射線技師は、カセッテ２４の現在の状態を知ることができ、カセッテ２４の使用可能なレベルや部品交換の時期、メンテナンスの時期を正確に把握することができる。
【０１３８】
上述の例では、ラック１６２の各棚１６４に発光素子１５４を設けた例を示したが、その他、図２３に示すように、各棚１６４にシャッタ１７２を設けるようにしてもよい。
【０１３９】
シャッタ１７２は、軸１７４を中心に回転する例えば矩形状、半円状、多角形状のシャッタ板１７６と、該シャッタ板１７６を２方向（棚１６４の開口を一部遮蔽する第１方向と、棚１６４の開口を開放する第２方向）に回転駆動する駆動機構１７８（ソレノイドやモータ）とで構成することができる。駆動機構１７８をソレノイド（図示せず）で構成する場合は、例えばシャッタ板１７６に板バネ（図示せず）を取り付けて、該シャッタ板１７６を常時棚１６４の開口を遮蔽するように付勢しておき、棚１６４の開口を開放する場合に、ソレノイドを励磁してシャッタ板１７６を板バネの付勢に抗して回転駆動させることが考えられる。駆動機構１７８をモータ（図示せず）で構成する場合は、モータで軸１７４を正回転することで、シャッタ板１７６を第２方向に回転駆動し、モータで軸１７４を逆回転することで、シャッタ板１７６を第１方向に回転駆動することが考えられる。
【０１４０】
そして、ホストコンピュータ２８は、図２４に示すように、情報検索部１６８と、シャッタ駆動制御部１８０とを有する。
【０１４１】
情報検索部１６８は、上述したように、カセッテ情報管理部９２に登録されているカセッテＩＤ情報毎にテーブル化された複数のカセッテ情報９１のうち、使用許可を示す情報が格納されているカセッテ情報９１と、使用禁止を示す情報が格納されているカセッテ情報９１とを検索し、検索したカセッテ情報９１に対応するカセッテＩＤ情報を読み出して使用許可／禁止の情報と共にシャッタ駆動制御部１８０に出力する。
【０１４２】
シャッタ駆動制御部１８０は、情報検索部１６８から送られてきた情報のうち、使用許可のカセッテＩＤ情報に対応する棚１６４のシャッタ板１７６を第２方向（棚１６４の開口を開放する方向）に回転駆動するように制御し、使用禁止のカセッテＩＤ情報に対応する棚１６４のシャッタ板１７６を第１方向（棚１６４の開口を一部遮蔽する方向）に回転駆動するように制御する。
【０１４３】
例えばシャッタ１７２を開放すべき棚１６４に対応するシャッタ板１７６の駆動機構１７８（ソレノイドやモータ）に対し、例えばフレキシブルケーブル１７０等を介して開信号を出力することによって、該当するシャッタ１７２の駆動機構１７８がシャッタ板１７６を開駆動（例えばソレノイドを励磁、あるいはモータが軸１７４を正回転）する。これによって、シャッタ板１７６が第２方向に回転して、棚１６４の開口が開放され、その棚１６４に収納されているカセッテ２４を取り出すことができるようになる。
【０１４４】
同様に、シャッタ１７２を遮蔽すべき棚１６４に対応するシャッタ板１７６の駆動機構１７８に対し、例えばフレキシブルケーブル１７０等を介して閉信号を出力することによって、該当するシャッタ１７２の駆動機構１７８がシャッタ板１７６を閉駆動（例えばソレノイドへの励磁を停止、あるいはモータが軸１７４を逆回転）する。これによって、シャッタ板１７６が第２方向に回転して、棚１６４の開口がシャッタ板１７６によって一部遮蔽され、その棚１６４に収納されているカセッテ２４を取り出すことができなくなる。
【０１４５】
従って、医師１８又は担当する放射線技師は、ラック１６２に収納された複数のカセッテ２４のうち、シャッタ１７２が開放された棚１６４に収納されたカセッテ２４を取り出して、患者１４と手術台１６との間の所定位置に、照射面３６を撮影装置２２側とした状態で、使用可能なカセッテ２４を設置することとなる。
【０１４６】
このように、第１システム１０Ａにおいては、少なくとも画像用メモリ１０２の空き容量、バッテリ４４の残量、カセッテ２４内の温度を検知し、カセッテ２４の使用可能／使用不可を判別するようにしたので、カセッテ２４の使用における信頼性を向上させることができる。
【０１４７】
次に、第２の実施の形態に係る放射線画像撮影システム（以下、単に第２システム１０Ｂと記す）について図２５〜図２８を参照しながら説明する。
【０１４８】
この第２システム１０Ｂは、図２５に示すように、上述した第１システム１０Ａとほぼ同様の構成を有するが以下の点で異なる。
【０１４９】
すなわち、カセッテ２４のカセッテ制御部４６は、図２６に示すように、図６に示すような第１判別部１３０、第２判別部１３２、最終判別部１３４及び省エネ判別部１３６はなく、キャリブレーション処理の実行の要否を判別する実行判別部１３８と、撮影許可信号Ｓｄ（レディ信号）の出力タイミングを判別する信号出力判別部１３９とを有する。これら実行判別部１３８及び信号出力判別部１３９は第１システム１０Ａの場合と同様であるため、ここではその説明を省略する。
【０１５０】
この第２システム１０Ｂにおいて、カセッテ２４からホストコンピュータ２８に送られるカセッテ情報９１は、図２７に示すように、カセッテＩＤ情報、空き容量値、バッテリ残量、累積被爆線量、温度等であり、図１０に示すカセッテ情報と異なるのは、判別部１２０での判定結果が存在しないことである。
【０１５１】
カセッテ２４からカセッテ情報９１がホストコンピュータ２８に向けて送信されると、ホストコンピュータ２８は、カセッテ情報９１を第２送受信機８２を介して受け取ってカセッテ情報管理部９２に送る。カセッテ情報管理部９２は、送られてきたカセッテ情報９１をカセッテＩＤ情報に基づいてテーブル化して管理する。
【０１５２】
ホストコンピュータ２８は、図２５に示すように、第１システム１０Ａの判別部１２０と同様の機能を有する状態判定部１８２が設置されている。この状態判定部１８２は、カセッテ情報管理部９２から順番にカセッテ情報９１を読み出して、今回の撮影条件（ＲＩＳ１４６やＨＩＳ１４８を通じて入力された撮影条件）に適合するカセッテ２４を判別し、適合するカセッテ２４に対応するカセッテ情報９１に使用許可を示す情報を記録し、適合しないカセッテ２４に対応するカセッテ情報９１に使用禁止を示す情報を記録するという処理を行う。
【０１５３】
具体的には、状態判定部１８２は、図２８に示すように、上述した第１システム１０Ａの判別部１２０と同様の第１判別部１３０、第２判別部１３２、最終判別部１３４、省エネ判別部１３６を有し、第１判別部１３０は、上述した第１システム１０Ａにおける第１判別部１３０と同様の使用容量予測部１４０、消費容量予測部１４２、温度予測部１４４を有する。最終判別部１３４からの使用許可／使用禁止を示す情報、省エネ判別部１３６で得られた省エネ情報（省エネモードへの移行可能を示す情報）はそれぞれカセッテ情報９１に記録される。これによって、図２７に示すカセッテ情報９１が、図１０と同様のカセッテ情報９１になる。
【０１５４】
その他の処理は上述した第１システム１０Ａと同様であるため、その説明を省略する。
【０１５５】
この第２システム１０Ｂにおいても、上述した第１システム１０Ａと同様に、少なくとも画像用メモリ１０２の空き容量、バッテリの残量、カセッテ内の温度を検知し、カセッテ２４の使用可能／使用不可を判別するようにしたので、カセッテ２４の使用における信頼性を向上させることができる。
【０１５６】
なお、本発明に係る放射線画像撮影システムは、上述の実施の形態に限らず、本発明の要旨を逸脱することなく、種々の構成を採り得ることはもちろんである。
【０１５７】
例えば、カセッテ２４に収容される放射線検出器４０は、入射した放射線Ｘの線量を画素５０によって直接電気信号に変換するものであるが、これに代えて、入射した放射線Ｘをシンチレータによって一旦可視光に変換した後、この可視光をアモルファスシリコン（ａ−Ｓｉ）等の固体検出素子を用いて電気信号に変換するように構成した放射線検出器を用いてもよい（特許第３４９４６８３号公報参照）。
【０１５８】
また、光変換方式の放射線検出器を利用して放射線画像情報を取得することもできる。この光変換方式の放射線検出器では、マトリクス状に配列された各固体検出素子に放射線が入射すると、その線量に応じた静電潜像が固体検出素子に蓄積記録される。静電潜像を読み取る際には、放射線検出器に読取光を照射し、発生した電流の値を放射線画像情報として取得する。なお、放射線検出器は、消去光を放射線検出器に照射することで、残存する静電潜像である放射線画像情報を消去して再使用することができる（特開２０００−１０５２９７号公報参照）。
【図面の簡単な説明】
【０１５９】
【図１】第１の実施の形態に係る放射線画像撮影システム（第１システム）が設置された手術室の説明図である。
【図２】カセッテの内部構成を示す一部省略して示す斜視図である。
【図３】放射線検出器の回路構成を示すブロック図である。
【図４】第１システムの構成を示すブロック図である。
【図５】第１システムにおけるカセッテ制御部の構成を示すブロック図である。
【図６】カセッテ制御部における判別部の構成を示すブロック図である。
【図７】放射線検出器の撮像面の全面使用を示す説明図である。
【図８】図８Ａ〜図８Ｄは、放射線検出器の撮像面の半分使用の場合の４つの使用例を示す説明図である。
【図９】図９Ａ〜図９Ｉは、放射線検出器の撮像面の１／４使用の場合の９つの使用例を示す説明図である。
【図１０】第１システムのカセッテから出力されるカセッテ情報の内訳の一例を示す説明図である。
【図１１】４つのカセッテにそれぞれ１つの発光素子を設けた例を示す斜視図である。
【図１２】図１１の例に対応したカセッテ制御部の構成を一部省略して示すブロック図である。
【図１３】４つのカセッテにそれぞれ発光色の異なる２つの発光素子を設けた例を示す斜視図である。
【図１４】図１３の例に対応したカセッテ制御部の構成を一部省略して示すブロック図である。
【図１５】カセッテの１つの側面に液晶表示部を設けた例を示す斜視図である。
【図１６】図１５の例に対応したカセッテ制御部の構成を一部省略して示すブロック図である。
【図１７】複数のカセッテを収納可能なラックの各棚にそれぞれ１つの発光素子を設けた例を示す説明図である。
【図１８】図１７の例に対応したホストコンピュータの構成を一部省略して示すブロック図である。
【図１９】複数のカセッテを収納可能なラックの各棚にそれぞれ発光色の異なる２つの発光素子を設けた例を示す説明図である。
【図２０】図１９の例に対応したホストコンピュータの構成を一部省略して示すブロック図である。
【図２１】複数のカセッテを収納可能なラックの各棚にそれぞれ液晶表示部を設けた例を示す説明図である。
【図２２】図２１の例に対応したホストコンピュータの構成を一部省略して示すブロック図である。
【図２３】複数のカセッテを収納可能なラックの各棚にそれぞれシャッタを設けた例を示す説明図である。
【図２４】図２３の例に対応したホストコンピュータの構成を一部省略して示すブロック図である。
【図２５】第２の実施の形態に係る放射線画像撮影システム（第２システム）の構成を示すブロック図である。
【図２６】第２システムにおけるカセッテ制御部の構成を示すブロック図である。
【図２７】第２システムのカセッテから出力されるカセッテ情報の内訳の一例を示す説明図である。
【図２８】第２システムにおけるホストコンピュータの状態判定部の構成を示すブロック図である。
【符号の説明】
【０１６０】
１０Ａ…第１システム                    １０Ｂ…第２システム
１２…手術室                            １４…患者
２２…撮影装置                          ２４…カセッテ
２６…表示装置                          ２８…ホストコンピュータ
４０…放射線検出器                      ４４…バッテリ
４６…カセッテ制御部                    ４８…通信器
５０…画素                              ７２…パイロットランプ
７４…撮影スイッチ                      ７６…放射線源
８０…線源制御部                        ９１…カセッテ情報
９２…カセッテ情報管理部                ９８…表示部
１００…温度センサ                      １０２…画像用メモリ
１０４…パラメータ用メモリ              １０６…送信部
１０８…受信部                          １１０…条件受取部
１１２…画像抽出部                      １１４…空き容量検出部
１１６…残量検知部                      １１８…線量算出部
１２０…判別部                          １２２…キャリブレーション処理部
１３０…第１判別部                      １３２…第２判別部
１３４…最終判別部                      １３６…省エネ判別部
１３８…実行判別部                      １３９…信号出力判別部
１４０…使用容量予測部                  １４２…消費容量予測部
１４４…温度予測部                      １５４…発光素子
１５４ａ…緑色発光素子                  １５４ｂ…赤色発光素子
１５６…発光制御部                      １５６Ａ…第１発光制御部
１５６Ｂ…第２発光制御部                １５８…液晶表示部
１６０…情報表示制御部                  １６２…ラック
１６４…棚                              １６８…情報検索部
１７２…シャッタ                        １８０…シャッタ駆動制御部
１８２…状態判定部
【図１】
2009028373.tif 000003
【図２】
2009028373.tif 000004
【図３】
2009028373.tif 000005
【図４】
2009028373.tif 000006
【図５】
2009028373.tif 000007
【図６】
2009028373.tif 000008
【図７】
2009028373.tif 000009
【図８】
2009028373.tif 000010
【図９】
2009028373.tif 000011
【図１０】
2009028373.tif 000012
【図１１】
2009028373.tif 000013
【図１２】
2009028373.tif 000014
【図１３】
2009028373.tif 000015
【図１４】
2009028373.tif 000016
【図１５】
2009028373.tif 000017
【図１６】
2009028373.tif 000018
【図１７】
2009028373.tif 000019
【図１８】
2009028373.tif 000020
【図１９】
2009028373.tif 000021
【図２０】
2009028373.tif 000022
【図２１】
2009028373.tif 000023
【図２２】
2009028373.tif 000024
【図２３】
2009028373.tif 000025
【図２４】
2009028373.tif 000026
【図２５】
2009028373.tif 000027
【図２６】
2009028373.tif 000028
【図２７】
2009028373.tif 000029
【図２８】
2009028373.tif 000030